(57)【特許請求の範囲】
【請求項１】
鞄の縁部を保護するための樹脂製の保護部を有する保護具であって、
前記縁部の一方面を保護し、貫通固定部の上部を覆う第一保護部と、
前記縁部の一方面に隣接して上部を有する鋲やネジによる貫通固定具により貫通して固定することが可能な貫通領域を有する隣接部と、を有し、
前記第一保護部の側縁と前記隣接部の側縁との間に立設する折返し部を連続して成型してなり、前記第一保護部と前記隣接部と前記折返し部とにより前記貫通固定具の上部を収容できる空間を形成し、
前記第一保護部は、一方の側縁において前記折返し部により前記隣接部と連結し、他方の側縁から第二保護部と第三保護部とが連続し、前記縁部を前記隣接部と前記第三保護部とで狭持して固定可能であることを特徴とする保護具。
【請求項２】
第一保護部は一方の側縁において隣接部と連結し、他方の側縁において曲げ変形可能な第二保護部と連続して成型してなり、
前記第二保護部は第三保護部と連結し、前記第三保護部は鞄の縁部の他方面に隣接して貫通固定具により貫通して固定することが可能な第二の貫通領域を有し、
前記第一保護部、前記第二保護部、前記第三保護部の長手方向と直交する方向の両側端は開放端とすることを特徴とする請求項１に記載の保護具。
【請求項３】
第一保護部、第二保護部、第三保護部の肉厚は、前記第一保護部、前記第二保護部、前記第三保護部の順に薄くなるものとし、
前記第一保護部は中央部分で外面が外方に向けて凸とする外面湾曲形態とし、前記第三保護部は外面及び内面の長手方向が並行する板状体とし、前記第二保護部は前記第一保護部から連続して外面が傾斜する外面傾斜状態とすることを特徴とする請求項１または２のいずれかに記載の保護具。
【請求項４】
革製の鞄の縁部に樹脂製の一または複数の保護具を貫通固定具により固定する鞄の縁部構造であって、
前記縁部の表面に隣接する肉薄の隣接部と、該隣接部から前記縁部にかけて貫通して固定し、上部を有する鋲やネジによる貫通固定具と、前記隣接部及び前記貫通固定具を覆う所定の肉厚を有し、貫通固定部の上部を覆う第一保護部とを有し、
前記第一保護部の側縁と前記隣接部の側縁との間に立設する折返し部を連続して成型してなり、前記第一保護部と前記隣接部と前記折返し部とにより前記貫通固定具の上部を収容できる空間を形成し、
前記第一保護部は一方の側縁において前記折返し部により前記隣接部と連結し、他方の側縁から第二保護部と第三保護部とが連続し、前記縁部を前記隣接部と前記第三保護部とで狭持して固定することを特徴とする鞄の縁部の構造。
【請求項５】
縁部の裏面に隣接し、隣接部と前記縁部の貫通固定具により固定する第三保護部を有し、前記第三保護部は、第一保護部と連結した第二保護部に連結するものであって、
前記第二保護部は、湾曲して鞄の縁部の側縁に隣接することを特徴とする請求項４に記載の鞄の縁部構造。
【請求項６】
保護具は幅方向長さを異なる短辺保護具と長辺保護具を有し、鞄の底部周縁の一部に一または複数の長辺保護具を配し、鞄の底部または側方縁部に一または複数の短辺保護具を配したことを特徴とする請求項５に記載の鞄の縁部構造。
【発明の詳細な説明】
【技術分野】
【０００１】
本発明は、革製品の縁部を保護する樹脂製の保護具に関する発明である。
【背景技術】
【０００２】
ランドセルなどの革製鞄の縁部を保護する保護具は従来から提案されている。特許文献１には、金属板をＵ字形に折り曲げた挟持部の先端面に係止爪部を形成した金具本体と、金具本体の表面を覆う可撓性を有する合成樹脂材により形成した保護カバーとからなる補強金具が開示されている。非特許文献１には、バックの底部側コーナー部分の縫合やパイピンされたへり部に取り付ける保護具が開示されている。
【先行技術文献】
【特許文献】
【０００３】
【特許文献１】実用新案登録第３１２９９１５号公報
【非特許文献】
【０００４】
【非特許文献１】意匠登録第１５３９８５５号公報
【発明の概要】
【発明が解決しようとする課題】
【０００５】
従来より革製品には樹脂製品を取り付ける接着剤が馴染みにくく、革製の鞄に樹脂製の保護具を取り付けることは難しかった。特許文献１に記載の補強金具のように係止爪部を突き刺すことにより縁部に固定する先行技術は存在したが、革製品の特質上、縁部への保持が不十分となり外れてしまう欠点があった。そこで、非特許文献１に記載のようにビスやキャップナット等の係止具により係止することが考えられるが、外観にキャップナットが露出してしまうこととなり、露出したナット等の金属部品により鞄を置いたときに周辺を不意に傷付けてしまう等の問題があった。
【０００６】
また、従前からの保護具は鞄の縁部において、底の側面（接地面）の保護を重視する傾向にあった。ところが、鞄の縁部を保護するにおいて、当該側面（接地面）を保護するだけでなく、縁部全体として表面を保護することにより、鞄の接地動作、離地動作において他物への不意の接触による破損を回避することができる。
【０００７】
そこで、鞄の接地動作や離地動作において他物への不意の接触による鞄や他物の破損を回避することができ、革製の鞄に強固に取り付けることができる保護具が望まれていた。
【課題を解決するための手段】
【０００８】
本発明の保護具は、上記課題に鑑み、鞄の縁部を保護するための樹脂製の保護部を有する保護具であって、前記縁部の一方面を保護し、貫通固定部の上部を覆う肉厚の第一保護部と、前記縁部の一方面に隣接して上部を有する鋲やネジによる貫通固定具により貫通して固定することが可能な貫通領域を有する肉薄の隣接部と、を有する。
【０００９】
さらに、前記第一保護部の側縁と前記隣接部の側縁との間に立設する折返し部を連続して成型してなり、前記第一保護部と前記隣接部と前記折返し部とにより前記貫通固定具の上部を収容できる空間を形成し、前記第一保護部は、一方の側縁において前記折返し部により前記隣接部と連結し、他方の側縁から第二保護部と第三保護部とが連続し、前記縁部を前記隣接部と前記第三保護部とで狭持して固定可能であることを特徴とする。
【００１０】
また、第一保護部は一方の側縁において隣接部と連結し、他方の側縁において曲げ変形可能な第二保護部と連結して成型してなり、前記第二保護部は第三保護部と連結し、前記第三保護部は鞄の縁部の他方面に隣接して貫通固定具により貫通して固定することが可能な第二の貫通領域を有し、前記第一保護部、前記第二保護部、前記第三保護部の長手方向と直交する方向の両側端は開放端とすることが好ましい。
【００１１】
また、第一保護部、第二保護部、第三保護部の肉厚は、前記第一保護部、前記第二保護部、前記第三保護部の順に薄くなるものとし、前記第一保護部は中央部分で外面が外方に向けて凸とする外面湾曲形態とし、前記第三保護部は外面及び内面の長手方向が並行とする板状体とし、前記第二保護部は前記第一保護部から連続して外面が傾斜する外面傾斜形態とすることが好ましい。
【００１２】
また、本発明の鞄の縁部構造は、革製の鞄の縁部に樹脂製の一または複数の保護具を貫通固定具により固定する鞄の縁部構造であって、前記縁部の表面に隣接する肉薄の隣接部と、該隣接部から縁部にかけて貫通して固定し、上部を有する鋲やネジによる貫通固定具と、前記隣接部及び前記貫通固定具を覆う所定の肉厚を有し、貫通固定部の上部を覆う第一保護部とを有し、前記第一保護部の側縁と前記隣接部の側縁との間に立設する折返し部を連続して成型してなり、前記第一保護部と前記隣接部と前記折返し部とにより前記貫通固定具の上部を収容できる空間を形成し、前記第一保護部は一方の側縁において前記折返し部により前記隣接部と連結し、他方の側縁から第二保護部と第三保護部とが連続し、前記縁部を前記隣接部と前記第三保護部とで狭持して固定することを特徴とする。
【００１３】
また、縁部の裏面に隣接し、隣接部と前記縁部の貫通固定具により固定する第三保護部を有し、前記第三保護部は、第一保護部と連結した第二保護部に連結するものであって、前記第二保護部は、湾曲して鞄の縁部の側縁に隣接することが好ましい。
【００１４】
また、保護具は幅方向長さを異なる短辺保護具と長辺保護具を有し、鞄の底部周縁の一部に一または複数の長辺保護具を配し、鞄の底部または側方縁部に一または複数の短辺保護具を配したことが好ましい。
【発明の効果】
【００１５】
請求項１記載の発明により、貫通固定具を用いて鞄に取り付けることができ、肉厚の第一保護部により鞄を保護することができる保護具を提供することができる。
【００１６】
さらに、第一保護部と第二保護部とを折返し部により連続して成型することで、第一保護部が隣接部の貫通固定具を覆って貫通固定具が取付状態で露出することを防ぐことが可能になる。
【００１７】
請求項２記載の発明により、第二保護部を曲げ変形可能にすることで、曲げて鞄の縁部の接地面等の側方を保護することができるとともに、長手方向と直交する方向の側方端を開放端とすることで、適宜幅にして取り付けることが可能になる。
【００１８】
請求項３記載の発明により、第一保護部が最も肉厚として、順次薄く成型することで、鞄の縁部に曲げて取り付けやすくするとともに、第一保護部が保護する部分を重点に保護することが可能になる。
【００１９】
請求項４記載の発明により、貫通固定具により鞄に取り付け可能として、貫通固定具が一面に露出しない鞄の縁部構造を提供することができる。
ことができる。
【００２０】
請求項５記載の発明により、第二保護部が湾曲して接地面に配置されることにより、接地面を保護することができ、一つの部材で貫通固定具を覆いつつ、鞄の縁部を保護する鞄を提供することができる。
【００２１】
請求項６記載の発明により、短辺保護具と長辺保護具を併用することにより、保護形態を適宜変更して用いることが可能になる。
【図面の簡単な説明】
【００２２】
【図１】本発明の実施形態に係る保護具の斜視図である。
【図２】保護具の一例を示す側面図であり、（ａ）は平板状の状態、（ｂ）は弾性による変形の一例を示す。
【図３】図２（ｂ）の保護具の各部分を切り取った状態を示す側面図である。
【図４】保護具の中間生成状態を示す斜視図である。
【図５】保護具の縁部への取付の一例を示す断面図であり、（ａ）は隣接部を配置した状態、（ｂ）は（ａ）の状態から仮穴をあけた状態を示す。
【図６】保護具の縁部への取り付けの一例を示す断面図であり、（ａ）は図５（ｂ）の状態から雄部を挿入して第三保護具を巻き付けた状態、（ｂ）は（ａ）の状態から雌部を取り付けた状態を示す。
【図７】保護具を鞄に取り付けた状態の一例を示す部分斜視図であり、複数の短辺保護具を配置した状態を示す。
【図８】保護具を鞄に取り付けた状態の一例を示す部分斜視図であり、底部に長辺保護具、両側の縁部に短辺保護具を取り付けた状態を示す。
【図９】本発明の第二の実施形態を示すものであって、（ａ）は側面図、（ｂ）は斜視図を示す。
【図１０】本発明の第三の実施形態を示すものであって、（ａ）は側面図、（ｂ）は斜視図を示す。
【発明を実施するための形態】
【００２３】
本発明の実施形態について、図面に基づいて詳細に説明する。図７、８に示すように、本実施形態の保護具に用いる対象は、革製の鞄としている。この革製とは、カウハイド、ステアハイド、キップ、カーフといった牛由来の革のほか豚、馬、蛇、蜥蜴由来の革を指し、人工皮革にも使用が可能である。また、鞄２とはハンドバッグ、トートバッグ、リュック等の袋体を指し、外装材を重ねて形成した縁部３を有するものを対象としている。
【００２４】
革製の鞄２を製造する場合、鞄２の種類により様々な形態があるが、簡単に製造方法を説明する。鞄２の外装材４と、マチ５と、底６とを型紙に沿って裁断する。これらの素材の表面処理や内装材の縫い付け等を行い、外装材４の側方にマチ５を縫着し、底面に底６を縫着する。さらに手提げ部分やポケット、チャック等を取り付けて完成させる。
【００２５】
鞄２の縁部３は、このように外装材４とマチ５と底６とを縫い付けた縁（ふち）を指している。しかし、本実施形態の保護具１は前記鞄２の縁（ふち）を保護するものであるため、その部位の形態を限定するものではなく、例えばトートバッグのように側方にマチ５、５がなく一対の外装材４、４を縫い付けた縁（ふち）であったり、一枚の外装材を折り返した部分等を縁部３とすることを排除するものではない。
【００２６】
つまり、鞄２の縁部３は、外装材４やマチ５と底６とを縫い付けた底部分の周縁の縁部３のみならず、外装材４とマチ５との間に形成される縁部３も形成され、更にはポケットＰに形成される縁部３等もあり、これらも本発明の保護具１を取り付けることが可能である。
【００２７】
本実施形態の保護具１の具体的形態について説明する。なお、本説明に記載の具体的寸法は単なる一例であり、これに限定されるものではない。これらは肉厚等の説明のためであり、前後１〜２ｍｍ程度の誤差はあるものとする。
【００２８】
図１、２に示すように、本実施形態の保護具１は、第一保護部１０と、第二保護部２０と、第三保護部３０と、隣接部４０と、折返し部５０とからなる。これらは同一樹脂により一体的に形成され、第一保護部１０が折返し部５０と第二保護部２０に、第二保護部２０が第一保護部と第三保護部３０に、第三保護部３０が第二保護部２０に、隣接部４０が折返し部５０に、折返し部５０が第一保護部１０と隣接部４０にそれぞれ連続して形成されることで連結されている。この連結は異なる樹脂材により接着させて連結することを排除するものではないが、製造コストを鑑みて、一体的に形成することが好ましい。
【００２９】
本実施形態の保護具１は、一体的に成型されるものであって、樹脂からなるものである。具体的な樹脂はNBR合成ゴムが好ましい。図２に示すように、樹脂からなる保護具１は、その弾性により弾性変形し、第一保護部１０、第二保護部２０、第三保護部３０を適宜曲げることが可能である。この曲げ変形が可能であることは第二保護部２０を起点に湾曲させることのみならず、折曲したりしてもよい。また、同じく、隣接部４０も折返し部５０との連結部分を起点に上下に湾曲するように曲げることが可能である。
【００３０】
図３に示すように、第一保護部１０は表面１１が上方を凸とする湾曲面となり、裏面１２が水平の水平面として形成される。長手方向の一方の側縁１３から折返し部５０に連結され、もう一方の側縁１４から第二保護部２０が連結されている。
【００３１】
第一保護部１０自体の長手方向長さを１３ｍｍ、後述する折返し部５０の側縁までの長手方向長さを１５ｍｍとして、この折返し部５０の側縁までの中間位置で上方を凸としている。この凸の肉厚は５ｍｍであり、第二保護部２０との側縁１４では肉厚を４ｍｍとしている。
【００３２】
隣接部４０は、表面４１と裏面４２とが水平面となる板状部材であり、長手方向の一方の側縁４３から折返し部５０に連結されており、もう一方の側縁４４は角を丸めた自由端としている。
【００３３】
隣接部４０は、貫通固定具６０により貫通させ得る貫通領域を形成する。本実施形態における貫通領域４０ａは隣接部４０の表面４１の外縁を除く部分となる。板状部材からなる隣接部４０は、長手方向長さを１０ｍｍとし、長手方向長さに直交する長さは後述のとおり適宜使用できるが、概ね１０ｍｍ乃至１５ｍｍ程度が好ましい。この場合に、隣接部４１の表面４１と裏面４２の表面積は１００平方ｍｍ乃至１５０平方ｍｍとなり、貫通固定具６０による貫通させ得る貫通領域を形成する。この貫通領域４１に貫通固定具６０を貫通させるための孔を形成していてもよい。
【００３４】
隣接部４０は、前述のとおり板状部材であり、肉厚を２ｍｍとする。
【００３５】
折返し部５０は、第一保護部１０と隣接部４０とを折り返すように連結するものであり、本実施形態では一体成型されていることは上述のとおりである。本実施形態の折返し部５０は、正面視において上下に長い略長方形状を有し、上部５１の一方側縁５３で第一保護部１０の側縁１３と連結し、下部５２の一方側縁５３で隣接部４０の側縁４３と連結される。他方側縁５４は垂直壁となり、上部で第一保護部１０の表面１１の湾曲形状に連続するように湾曲している。
【００３６】
折返し部５０は、上部５１と下部５２との間に、第一保護部１０及び隣接部４０に連結しない延長部５５が形成される。この延長部５５が形成されることにより、使用しない状態では第一保護部１０と隣接部４０との間に空間が形成される。後述のとおり、隣接部４０から貫通固定具６０を貫通させたとき、ネジ頭や鋲の上部を収容できる空間としている。
【００３７】
折返し部５０は、第一保護部１０の長手方向と同方向にあたる略長方形の下辺の長さを２ｍｍとし、下部５２の高さを２ｍｍ、延長部の高さを１ｍｍ、上部５１の高さを３乃至４ｍｍとしている。
【００３８】
第二保護部２０は、表面２１が第一保護部１０の表面１１から連続して傾斜する傾斜面となり、裏面２２が水平面となる。一方の側縁２３は第一保護部１０の側縁１４と連結し、もう一方の側縁２４は第三保護部３０と連結する。第二保護部２０の表面２１は、第一保護部１０側の側縁位置から長手方向中央付近まで傾斜し、その後は第三保護部３０側の側縁位置にかけて水平となる。
【００３９】
第二保護部２０は、一方の側縁２３から他方の側縁２４まで１０ｍｍ程度であり、肉厚は一方の側縁２３では４ｍｍであるが、傾斜して表面２１の中央付近で３ｍｍとなる。
【００４０】
第三保護部３０は、表面３１及び裏面３２が水平面となる板状部材となり、一方の側縁３３は第二保護部２０の側縁２４と連結する。もう一方の側縁３４は角を丸めた自由端としている。
【００４１】
第三保護部３０は、貫通固定具６０により貫通させ得る貫通領域を形成する。本実施形態における貫通領域は第三保護部３０の表面３１の広さとなる。板状部材からなる第三保護部３０は、長手方向長さを１５ｍｍとし、長手方向長さに直交する長さは後述のとおり適宜使用できるが、概ね１０ｍｍ乃至１５ｍｍ程度が好ましい。この場合に、第三保護部３０の表面３１と裏面３２の表面積は１００平方ｍｍ乃至１５０平方ｍｍとなり、貫通固定具６０による貫通させ得る貫通領域を形成する。この貫通領域３０ａに貫通固定具６０を貫通させるための孔を形成していてもよい。第三保護部３０の肉厚は３ｍｍとしている。
【００４２】
上記のとおり、保護具１は、第一保護部１０、第二保護部２０、第三保護部３０、隣接部４０、折返し部５０とを樹脂により一体的に成型したもので、各々が側縁から連続して形成され、全体として側面視において略Ｊ字状の形態となる（図２参照）。
【００４３】
図４に示すように、保護具１は、製造時点では５００ｍｍ乃至１０００ｍｍの幅方向とする中間製造物１０１として製造される。この中間製造物１０１から、使用対象により、幅方向長さを適宜変更して切断する。例えば、幅方向を短くした短辺保護具１０２は１０〜１５ｍｍとして切断し、幅方向を長くした長辺保護具１０３は３０〜５０ｍｍの幅方向をもって切断する。
【００４４】
次に、保護具１の鞄２への使用例について説明する。鞄２の縁部３において、図７に示すように、短辺保護具１０２を複数使用することが好ましいが、図８に示すように、長辺保護具１０３と併用するものであってもよい。使用態様は同じであるので、長辺使用タイプの説明は省略する。
【００４５】
図６（ａ）、（ｂ）に示すように、保護具１の縁部への固定は貫通固定具６０を使用する。貫通固定具６０は、鋲のような金属製の雄部６１と雌部６２とからなるものである。雄部６１は円盤状の基材の中心から直立する貫通部材が突出し、雌部６２は円盤状の基材の中心に貫通部材を受ける短い筒状の受材が突出して形成される。
【００４６】
図５（ａ）に示すように、鞄２の縁部３の端縁３ａと隣接部４０の側縁４４を沿わせ、隣接部４０の裏面４２と縁部３の表面３ｂとを隣接させる。この状態で、図５（ｂ）に示すように、貫通固定具６０を挿入する部分にポンチ等を用いて、隣接部４０及び縁部３に仮穴７０を開ける。
【００４７】
次に、図５（ｂ）、図６（ａ）に示すように、第一保護部１０を上方に曲げて、仮穴７０が空けられた部分に、隣接部４０の表面４１側から貫通固定具６０の雄部６１の貫通部材を挿入する。その状態で、保護具１の第二保護部２０を湾曲させ、第三保護部３０の裏面３２を縁部３の裏面３ｃに隣接する。そして、第三保持部３０の仮穴７０と連通する位置に第２の仮穴７１をポンチ等を用いて開ける。なお、第２の仮穴７１は仮穴７０を開けるときに同じように開けてもよい。
【００４８】
第三保護部３０の表面３１側から貫通固定具６０の雌部６２の受材を挿入し、筒内部に雄部６１の貫通部材が挿入されるようにする。この状態で、ハンマー等により雌部６２の円盤状の基材を叩き付け、貫通固定具６０の固定により、保持具１を縁部３に固定する。
【００４９】
図９に本発明の第二の実施形態を示す。第二の実施形態にかかる保護具１は、第１保護部１０、第二保護部２０、第三保護部３０の外表面がいずれも凹凸を形成するものである。また、図１０に第三の実施形態を示す。第三の実施形態は、第一保護部１０、第二保護部２０、第三保護部３０及び隣接部４０が全て同じ厚みとするものである。
【符号の説明】
【００５０】
１…保護具、２…鞄、３…縁部、１０…第一保護部、１３、１４…側縁、２０…第二保護部、２３、２４…側縁、３０…第三保護部、３３、３４…側縁、４０…隣接部、４０ａ…貫通領域、４３、４４…側縁、５０…折返し部、５３…側縁、６０…貫通固定具、１０２…短辺保護具、１０３…長辺保護具
【要約】      （修正有）【課題】貫通固定具を隠しつつ鞄などの革製品の縁部に強固に取り付けて、縁部を保護することができる保護具及び鞄を提供する。【解決手段】保護具１は、上記課題に鑑み、革製品の縁部３を保護するものである。保護具は、縁部の表面側を保護する第一保護部と、縁部の裏面側を保護する第三保護部と、第一保護部と第三保護部との間の側縁を保護する第二保護部とからなり、貫通固定具を挿入する隣接部を有し、折返し部により隣接部と第一保護部が折り返して連結されることで、貫通固定具を覆う構成となる。【選択図】図７【図１】
0006739820.tif 000002
【図２】
0006739820.tif 000003
【図３】
0006739820.tif 000004
【図４】
0006739820.tif 000005
【図５】
0006739820.tif 000006
【図６】
0006739820.tif 000007
【図７】
0006739820.tif 000008
【図８】
0006739820.tif 000009
【図９】
0006739820.tif 000010
【図１０】
0006739820.tif 000011